【手続補正書】
【提出日】平成18年3月23日(2006.3.23)
【手続補正１】
【補正対象書類名】明細書
【補正対象項目名】特許請求の範囲
【補正方法】変更
【補正の内容】
【特許請求の範囲】
【請求項１】  車両用座席のためのスライドレールであって、
車両用車両に固定されることになっている固定部分（６）と、前記固定部分に沿ってスライド可能な形で装着されており、かつ、前記座席がいわゆる縦方向に前後に移動することを可能にするように前記座席に固定されることになっており、前記固定部分と共に前記スライドレール内に中空の内側空間（８）を画定する可動部分（７）と、
前記可動部分（７）上に装着されており、かつ、スライドレール止め具が前記固定部分（６）と係合して前記可動部分をロックするロック位置と、前記スライドレール止め具が前記固定部分と係合せずに前記可動部分がスライドすることを可能にするロック解除位置との間を移動することが可能であり、そのロック位置に弾性的に偏倚させられているスライドレール止め具（２９）と、
前記スライドレールの前記内側空間（８）内に配置されており、前記可動部分（７）の後方移動を制限し、かつ、それによって前記可動部分の記憶位置を画定する、前記縦方向に対して平行に前記固定部分（６）に対してスライド可能な形で装着されている記憶保持ランナ（６１）と、
前記固定部分（６）に対して前記記憶保持ランナを固定するように前記固定部分と一体のノッチ（６８）とランナ止め具が係合するロック位置と、前記記憶保持ランナをそのランナ止め具が固定しないロック解除位置との間を移動することが可能である、前記記憶保持ランナ（６１）に取り付けられているランナ止め具（６４）、
ランナロック装置が前記可動部分に前記記憶保持ランナ（６１）を固定する結合位置と、ランナロック装置が前記可動部分に前記記憶保持ランナを固定しない非結合位置との間を移動することが可能である、前記可動部分（７）上に取り付けられているランナロック装置（１３、５１）、
前記座席の記憶位置を調整するために、前記可動部分（７）と前記記憶保持ランナ（６１）とが同時に前記固定部分（６）に対して前後にスライドすることを可能にするように、前記スライドレール止め具（２９）がそのロック解除位置にあり、前記ロック装置（１３、５１）がその結合位置にある第１のロック解除状態に前記スライドレールをおくようになっている第１の制御手段（９、３２）と、
前記記憶保持ランナ（６１）を移動させずに前記可動部分（７）が前方にスライドすることを可能にするように、前記スライドレール止め具がそのロック解除位置にあり、かつ前記ロック装置（５１）が非結合位置にある第２のロック解除状態に前記スライドレールをおくようになっている第２の制御手段（１２、４０）を有する、車両用座席のためのスライドレールにおいて、
前記記憶保持ランナ（６１）が、前記固定部分（６）と一体である縦方向ガイド（６２）と摩擦嵌合によって係合すること、
前記ランナ止め具（６４）が、前記記憶保持ランナ上に装着されているばね（６６）によってそのロック解除位置に弾性的に偏倚させられていること、
前記スライドレールの前記可動部分（７）が、前記スライドレールの前記中空内側空間（８）内に突出するくさび（７１）を含み、前記くさびが前記ランナ止め具に属する支持表面（７５）と係合するようになっているカム表面（７４、７６）を有し、前記カム表面が、前記スライドレールの前記可動部分（７）がその記憶位置にある時には前記ランナ止め具（６４）をそのロック解除位置に残すように、一方、前記可動部分がその記憶位置にない時には、即ち、少なくとも、前記可動部分がその記憶位置から離れるかまたは前記記憶位置に戻る時には、前記ランナ止め具をそのロック位置に移動させるように構成されており、かつ、前記記憶保持ランナ（６１）とその対応するガイド（６２）との間の摩擦が、前記ランナ止め具の前記支持表面（７５）に対する前記くさびの前記カム表面（７４、７６）の作用が前記記憶保持ランナの縦方向のスライドを生じさせることを防止するのに充分な大きさであることを特徴とする、車両用座席のためのスライドレール。
【請求項２】  前記可動部分（７）がその記憶位置をちょうど離れ終わった時にだけ、または、前記記憶位置に戻っていく時にだけ、前記ランナ止め具（６４）がそのロック位置にあるように、１ｃｍ未満である予め指定された距離よりも短い距離しか前記記憶場所から離れていない位置に前記スライドレールの前記可動部分（７）がその記憶位置から前方に移動させられる時にだけ、前記ランナ止め具（６４）をそのロック位置に移動させるように、前記くさびの前記カム表面（７４、７６）が構成されている請求項１に記載のスライドレール。
【請求項３】  前記スライドレール止め具（２９）が、前記スライドレールの前記中空内側空間（８）内に収容されている弾性金属部品である請求項１または２に記載のスライドレール。
【請求項４】  前記固定部分（６）が、前記記憶保持ランナ（６１）を有する水平底部（２１）を含み、前方位置と後方位置との間を前記可動部分に対して縦方向にスライドするように装着されているスライダ（１３）を有し、かつ前記くさび（７１）と一体である水平上部ウェブ（２５）を前記可動部分（７）が有し、前記スライダ（１３）が前部端部と後部端部とを有し、前記可動部分に対して平行な位置と前記スライドレールの前記中空内側空間（８）に向かって傾斜した位置との間を前記スライダが移動することが可能であるように、前記スライダの前方端部が、前記可動部分に対して第１の水平横軸（４３）を中心としてピボット運動可能な形で取り付けられており、前記後方端部が、高位置と低位置との間を第２の水平横軸（５２）を中心としてピボット運動可能な形で前記スライダに取り付けられているクリップ（５１）を有し、このクリップがその低位置に向かって弾性的に偏倚させられており、このクリップが、前記スライダが前記可動部分に対して傾斜位置にある時におよび前記可動部分がその記憶位置にある時に前記記憶保持ランナ（６１）に属するハウジング（６０）内に貫入するようになっている下向きの先端（５６）を有し、したがって、前記スライダとそのクリップとが前記ロック装置を形成し、前記スライダが、さらに、前記第２の制御手段（１２、４０）の作用を受けて前記スライダがその前方位置から後方位置に移動する時に前記スライドレール止め具をそのロック位置からロック解除位置に移動させるように前記スライドレール止め具（２９）と係合するカム表面（４８）を有し、前記スライドレールが、さらに、前記第１の制御手段（９、３２）の作用を受けて前記スライドレール止め具がそのロック解除位置に移動させられる時に前記スライダに属する別の支持表面（４９）に対して作用するようになっている支持敷居（２０）を含み、前記スライダが、その後方位置と水平位置との両方に弾性的に引っ張られている請求項１から３のいずれか１項に記載のスライドレール。
【請求項５】  前記スライダ（１３）が、一方では、前記スライドレールの前記可動部分（７）と一体でありかつ前記スライダのピボット軸（４３）の高さよりも高い位置に配置されている支持突片（３８）と、他方では、前記スライダの前部端部に向けて配置されている上部ロック頭部（４０）との間に装着されている、同じ１つの引張ばね（１４）によって、その後方位置とその水平位置の両方に引っ張られている請求項４に記載のスライドレール。
【請求項６】  前記クリップ（５１）が、前記第１の制御手段（９、３２）が起動させられる際に、前記可動部分（７）がスライドするのを前記スライドレール止め具（２９）が可能にする前に、そのクリップが前記記憶保持ランナのハウジング（６０）内に係合するように、構成されている請求項４または５に記載のスライドレール。
【請求項７】  前記クリップ（５１）が、前記ランナの対応するハウジング（６０）内に前記クリップが係合させられる時に前記記憶保持ランナ（６１）が前方に駆動されることを可能にするように構成されており、前記記憶保持ランナがさらに、前記可動部分がその記憶位置にある時に、前記可動部分（７）と一体である止め子（７３）と接触しており、前記止め子の端部が、前記記憶保持ランナの前部に向けて配置されており、かつ、前記第１の制御手段（９、３２）が起動させられる時に前記記憶保持ランナが後方に移動させられることを可能にする請求項４から６いずれか１項に記載のスライドレール。
【請求項８】  前記クリップ（５１）が、前記スライダに対して前記クリップ（５１）がその高位置に移動する時に前記ランナ止め具（６４）をそのロック位置に移動させるために、前記第２の制御手段（１２、４０）が起動させられる時に前記ランナ止め具（６４）と係合するカム表面（５６ａ）を備える後部端部を有する請求項４から７のいずれか１項に記載のスライドレール。
【請求項９】  前記クリップの前記カム表面（５６ａ）が、前記第２の制御手段（１２、４０）が起動させられる時に、前記スライドレール止め具（２９）が前記可動部分（７）のスライドを可能にする前に前記ランナ止め具（６４）がそのロック位置に移動するように、構成されている請求項８に記載のスライドレール。
【請求項１０】  前記記憶保持ランナ（６１）が、前記スライダ（３１）がその傾斜位置にありかつ前記クリップ（５１）がその低位置にある時に、前記クリップが前記記憶保持ランナの対応ハウジング（６０）内に係合させられていない場合に、前記クリップの前記カム表面（５６ａ）が、前記可動部分（７）が後方に移動させられる時に前記クリップの前記カム表面（５６ａ）がスライドして前記記憶保持ランナの傾斜した前部端縁に突き当たり、それによって、前記記憶保持ランナの対応するハウジング（６０）内に前記クリップの前記先端（５６）が係合させられる時まで、前記クリップを持ち上げるようになっているように構成されている前部端部（７７）を有する請求項８または９に記載のスライドレール。
【請求項１１】  前記クリップ（５１）が、前記第２の制御手段（１２、４０）の作用を受けて前記スライダがその後方位置に移動させられる時に前記可動部分の上部ウェブ（２５）内に配置されているハウジング（５９）よりも高い位置にある補助先端（５８）と一体であり、この補助先端が、前記可動部分（７）がその記憶位置から離れて前記クリップの前記カム表面（５６ａ）が前記記憶保持ランナと係合しなくなる時に、前記対応ハウジング（５９）内に係合するようになっており、前記補助先端が、前記可動部分がその記憶位置に戻る時まで前記スライダ（１３）をその後方位置に保持するようになっており、前記記憶位置においては、前記クリップの前記カム表面（５６ａ）が再び前記クリップを持ち上げて、前記補助先端（５８）をそのハウジング（５９）から離脱させる請求項８から１０のいずれか１項に記載のスライドレール。
【請求項１２】  請求項１から１１のいずれか１項に記載の少なくとも１つのスライドレール（５）によって縦方向にスライド可能な形で取り付けられ、前記スライドレールの前記可動部分（７）に固定されている座席部品（３）を含む車両用座席。
【請求項１３】  請求項４から１１のいずれか１項に記載の少なくとも１つの第１のスライドレール（５）と、固定部分（６）、可動部分（７）、およびロック位置とロック解除位置との間を移動することが可能なスライドレール止め具（２９）を含む第２のスライドレール（５）とによって、縦方向にスライド可能な形で装着されている座席部品（３）を含み、前記座席の前記座席部品（３）が前記スライドレールの前記可動部分（７）に固定されており、前記第１のスライドレールのスライダ（１３）がリンク（１５）によって横方向連結棒（１６）に結合されており、前記横方向連結棒が、前記２つのスライドレールの前記可動部分（７）の上にピボット運動可能な形で装着されており、かつ、前記第２の制御手段（１２、４０）が起動させられる時に前記第２のスライドレールの前記スライドレール止め具（２９）をそのロック解除位置に移動させるように前記第２のスライドレールの前記スライドレール止め具（２９）と係合する支持敷居（１９）を含む、車両用座席。
【手続補正２】
【補正対象書類名】明細書
【補正対象項目名】００１５
【補正方法】変更
【補正の内容】
【００１５】
上記可動部分がその記憶位置を離れ終わった時だけに、または、上記記憶位置に戻っていく時だけに、ランナ止め具がそのロック位置にあるように、１ｃｍ未満である予め特定された距離よりも短い距離だけしか上記記憶場所から離れていない位置にスライドレールの可動部分がその記憶位置から前方に移動させられる時にだけ、ランナ止め具をそのロック位置に移動させるように、上記くさびのカム表面が構成されており、
スライドレール止め具が、上記スライドレールの中空内側空間内に収容されている弾性金属部品であり、
上記固定部分が、記憶保持ランナを有する水平底部を含み、前方位置と後方位置との間を上記可動部分に対して縦方向にスライドするように装着されているスライダを有しかつ上記くさびと一体である水平上部ウェブを、上記可動部分が有し、上記スライダが、前部端部と後部端部とを有し、上記可動部分に対して平行な位置とスライドレールの中空内側空間に向かって傾斜した位置との間を上記スライダが移動することが可能であるように、上記スライダの前方端部が、上記可動部分に対して第１の水平横軸を中心としてピボット運動可能な形で取り付けられており、上記後方端部が、高位置と低位置との間を第２の水平横軸を中心としてピボット運動可能な形で上記スライダに取り付けられているクリップを有し、このクリップがその低位置に向かって弾性的に偏倚させられており、このクリップが、上記スライダが上記可動部分に対して傾斜位置にある時におよび上記可動部分がその記憶位置にある時に上記記憶保持ランナに属するハウジング内に貫入するようになっている下向きの先端を有し、従って、上記スライダとそのクリップとが上記ロック装置を形成し、上記スライダが、さらに、上記第２の制御手段の作用を受けて上記スライダがその前方位置から後方位置に移動する時に上記スライドレール止め具をそのロック位置からロック解除位置に移動させるように上記スライドレール止め具と係合するカム表面も有し、上記スライドレールが、さらに、上記第１の制御手段の作用を受けて上記スライドレール止め具がそのロック解除位置に移動させられる時に上記スライダに属する別の支持表面に対して作用するようになっている支持敷居（ｓｕｐｐｏｒｔ ｓｉｌｌ）も含み、および、上記スライダが、その後方位置と水平位置との両方に弾性的に偏倚させられており、
上記スライダが、一方では、上記スライドレールの上記可動部分と一体でありかつ上記スライダのピボット軸の高さよりも高い位置に配置されている支持突片と、他方では、上記スライダの前部端部に向けて配置されている上部ロック頭部との間に装着されている、同じ１つの引張ばねによって、その後方位置とその水平位置の両方に引っ張られており、
上記クリップが、上記第１の制御手段が起動させられる際に、上記可動部分がスライドするのを上記スライドレール止め具が可能にする前に、そのクリップが上記記憶保持ランナのハウジング内に係合するように、構成されており、
上記クリップが、上記ランナの対応するハウジング内に上記クリップが係合させられる時に上記記憶保持ランナが前方に駆動されることを可能にするように構成されており、上記記憶保持ランナがさらに、上記可動部分がその記憶位置にある時に上記可動部分と一体である止め子の端部と接触しており、上記止め子端部が、上記記憶保持ランナの前部に向けて配置されており、かつ、上記第１の制御手段が起動させられる時に上記記憶保持ランナが後方に駆動されることを可能にし、
上記クリップが、上記スライダに対して上記クリップがその高位置に移動する時に上記ランナ止め具をそのロック位置に移動させるために、上記第２の制御手段が起動させられる時に上記ランナ止め具と係合するカム表面を備える後部端部を有し、
上記クリップの上記カム表面が、第２の制御手段が起動させられる時に、上記スライドレール止め具が上記可動部分のスライドを可能にする前に上記ランナ止め具がそのロック位置に移動するように、構成されており、
上記記憶保持ランナが、上記スライダがその傾斜位置にありかつ上記クリップがその低位置にある時に、上記クリップが上記記憶保持ランナの対応ハウジング内に係合させられていない場合に、上記クリップのカム表面が、上記可動部分が後方に移動させられる時に上記カム表面がスライドして上記記憶保持ランナの傾斜した前部端縁に突き当たり、それによって、上記記憶保持ランナの対応するハウジング内に上記クリップの先端が係合させられる時まで、上記クリップを持ち上げるようになっているように、構成されており、
上記クリップが、上記第２の制御手段の作用を受けて上記スライダがその後方位置に移動させられる時に上記可動部分の上部ウェブ内に配置されているハウジングより高い位置にある補助先端と一体であり、この補助先端が、上記可動部分がその記憶位置から離れて上記クリップのカム表面が上記記憶保持ランナと係合しなくなる時に、上記対応ハウジング内に係合させられるようになっており、上記補助先端が、上記可動部分がその記憶位置に戻る時まで上記スライダをその後方位置に保持するようになっており、上記記憶位置においては、上記クリップのカム表面が再び上記クリップを持ち上げて、上記補助先端をそのハウジングから離脱させる。
【手続補正３】
【補正対象書類名】明細書
【補正対象項目名】００１７
【補正方法】変更
【補正の内容】
【００１７】
最後に、本発明のさらに別の目的は、上記定義の通りの少なくとも１つの第１のスライドレールと、固定部分、可動部分およびロック位置とロック解除位置との間を移動することが可能なスライドレール止め具を含む第２のスライドレールとによって、縦方向にスライド可能な形で装着されている座席部品を含み、上記座席部品が上記スライドレールの上記可動部分に固定されており、上記第１のスライドレールのスライダがリンクによって横方向連結棒に結合されており、上記横方向連結棒が、上記２つのスライドレールの上記可動部分の上にピボット運動可能な形で装着されており、かつ、上記第２の制御手段が起動させられる時に上記第２のスライドレールのスライドレール止め具をそのロック解除位置に移動させるように上記第２のスライドレールのスライドレール止め具と係合する支持敷居を含む、車両用座席である。